(57)【特許請求の範囲】
【請求項１】
ボックス体（１）を備え、前記ボックス体（１）の前端に複数の光ファイバーアダプター（３）が設けられた高密度光ファイバースイッチモジュールであって、
前記光ファイバーアダプター（３）の上表面（３１）に第１位置決め溝（３０１）が開かれ、前記第１位置決め溝（３０１）が光ファイバープラグを前記光ファイバーアダプター（３）に挿入する方向に直交する方向に沿って延在し、前記ボックス体（１）の内表面に前記第１位置決め溝（３０１）とマッチングする第１位置決め突起（１０１）が設けられ、前記第１位置決め突起（１０１）が前記第１位置決め溝（３０１）内にはめ込まれて前記光ファイバーアダプター（３）を前記ボックス体（１）の前端に固定し、
前記ボックス体（１）がボトムケース（１０）及び前記ボトムケース（１０）と取り外し可能に接続するトップカバー（２０）を備え、前記ボトムケース（１０）が底板（１００）と底板（１００）の両対向側縁に位置する左側壁（１１０）及び右側壁（１２０）とを有し、前記光ファイバーアダプター（３）の下表面に第２位置決め溝が設けられ、前記ボトムケース（１０）の底板（１００）の内表面に前記第２位置決め溝とマッチングする第２位置決め突起が設けられ、前記第１位置決め溝（３０１）が前記第２位置決め溝とずれて設置されることを特徴とする高密度光ファイバースイッチモジュール。
【請求項２】
前記ボトムケース（１０）の前端には前記左側壁（１１０）と右側壁（１２０）を接続する水平バッフルバー（１３０）を有し、前記水平バッフルバー（１３０）が前記底板（１００）と平行し、前記水平バッフルバー（１３０）と前記底板（１００）の間に前記光ファイバーアダプター（３）が位置することを特徴とする請求項１に記載の高密度光ファイバースイッチモジュール。
【請求項３】
前記水平バッフルバー（１３０）と前記底板（１００）の間に、前記光ファイバーアダプター（３）同士を分離するための直立バッフルブレート（１４０）が設けられることを特徴とする請求項２に記載の高密度光ファイバースイッチモジュール。
【請求項４】
前記光ファイバーアダプター（３）の上表面（３１）と下表面（３２）にストッパ階段（３１１、３２１）がそれぞれ設けられ、前記上表面（３１）のストッパ階段（３１１）が前記水平バッフルバー（１３０）の端面に当接され、前記下表面（３２）のストッパ階段（３２１）が前記底板（１００）の端面に当接されることを特徴とする請求項２に記載の高密度光ファイバースイッチモジュール。
【請求項５】
前記第１位置決め溝（３０１）が前記光ファイバーアダプター（３）の上表面（３１）に位置し、前記第１位置決め突起（１０１）が前記トップカバー（２０）の内表面に設置されることを特徴とする請求項２から請求項４のいずれかに記載の高密度光ファイバースイッチモジュール。
【請求項６】
前記第１位置決め溝（３０１）の横断面が直角台形であり、前記直角台形の前記光ファイバーアダプター（３）の前端に近い側縁が斜辺であり、前記第１位置決め突起（１０１）の横断面が直角台形であることを特徴とする請求項５に記載の高密度光ファイバースイッチモジュール。
【請求項７】
前記トップカバー（２０）が前記ボトムケース（１０）に締結され、前記トップカバー（２０）の両側に係合箇所（２１０）が設置され、前記ボトムケース（１０）の両側に前記係合箇所（２１０）とマッチングする係合部（１５０）が設置され、前記係合部（１５０）が前記係合箇所（２１０）に係合されることを特徴とする請求項５に記載の高密度光ファイバースイッチモジュール。
【請求項８】
前記光ファイバーアダプター（３）が光ファイバープラグを挿接するための複数のソケット（３０２）を有することを特徴とする請求項５に記載の高密度光ファイバースイッチモジュール。
【請求項９】
前記光ファイバープラグが双芯光ファイバープラグであることを特徴とする請求項８に記載の高密度光ファイバースイッチモジュール。
【発明の詳細な説明】
【技術分野】
【０００１】
本発明は、光通信の物理的な接続に関し、より具体的に、高密度光ファイバースイッチモジュールに関する。
【背景技術】
【０００２】
現在、インターネットと無線技術では情報の相互接続の能力が著しく強化され、これらの技術は全世界範囲で指数関数的成長を続けており、数億のユーザーによるフローを支持する必要があり、数十億のデジタルデータを全世界範囲で伝送することは、変換機、長距離光ファイバー、メトロポリタンエリアネットワーク及び他の多種のアクセス技術により実現する。光ファイバーと光ファイバーの間の接続、及び光ファイバーと設備の接続はいずれもコネクタにより実現するものであり、情報の相互接続が爆発的に増加するにつれて、光ファイバー接続の密度に対する要求が絶えずに高められており、即ち、単位体積内でより多くの光ファイバー接続を実現することである。
【０００３】
ある場合に、例えば、データセンターでは、ＭＴＰコネクタ分岐をＬＣデュプレックスコネクタに変換する必要があり、この時、光ファイバースイッチモジュールを用いる必要がある。光ファイバースイッチモジュールのフロントパネルにはＬＣデュプレックスアダプターが組み立てられ、バックパネルにはＭＴＰコネクタが組み立てられている。光ファイバースイッチモジュールに対して、その接続密度に影響を与える一つの要因は、ＬＣデュプレックスアダプターの寸法、及びＬＣデュプレックスアダプターの組立て構造である。従来の光ファイバースイッチモジュールにおいて、ＬＣデュプレックスアダプターには弾性バックルアームが設置され、スイッチモジュールのボックス体にバックルアームと適合する係合箇所が設けられ、弾性バックルアームと係合箇所の係合により、ＬＣデュプレックスアダプターをフロントパネルに組み立て、弾性バックルアームがＬＣデュプレックスアダプターの寸法を増やすため、これによって、スイッチモジュールの接続密度に影響を与え、また、弾性バックルアームが一定の弾性を有するため、ＬＣデュプレックスアダプターが一定の動き隙間を有することを引き起こす。
【発明の概要】
【発明が解決しようとする課題】
【０００４】
本発明が解決しようとする課題は、従来の光ファイバースイッチモジュールの前記欠陥について、光ファイバー接続の密度を著しく高めることができる高密度光ファイバースイッチモジュールを提供することである。
【課題を解決するための手段】
【０００５】
本発明にはその技術問題を解決するために、以下のような技術方案を採用する。ボックス体を備え、前記ボックス体の前端に若干の光ファイバーアダプターが設けられ、前記光ファイバーアダプターの上表面或いは下表面に第１位置決め溝が開かれ、前記第１位置決め溝が光ファイバープラグを前記光ファイバーアダプターに挿入する方向に直交する方向に沿って延在し、前記ボックス体の内表面に前記第１位置決め溝とマッチングする第１位置決め突起が設けられ、前記第１位置決め突起が前記第１位置決め溝内にはめ込まれて前記光ファイバーアダプターを前記ボックス体の前端に固定する高密度光ファイバースイッチモジュールを構成する。
【０００６】
本発明に記載の高密度光ファイバースイッチモジュールにおいて、前記ボックス体がボトムケース及び前記ボトムケースと取り外し可能に接続するトップカバーを備え、前記ボトムケースが底板と底板の両対向側縁に位置する左側壁及び右側壁とを有し、前記ボトムケースの前端には前記左側壁と右側壁を接続する水平バッフルバーを有し、前記水平バッフルバーが前記底板と平行し、前記水平バッフルバーと前記底板の間に前記光ファイバーアダプターが位置する。
【０００７】
本発明に記載の高密度光ファイバースイッチモジュールにおいて、前記水平バッフルバーと前記底板の間に、前記光ファイバーアダプター同士を分離するための直立バッフルブレートが設けられる。
【０００８】
本発明に記載の高密度光ファイバースイッチモジュールにおいて、前記光ファイバーアダプターの上表面と下表面にストッパ階段がそれぞれ設けられ、前記上表面のストッパ階段が前記水平バッフルバーの端面に当接され、前記下表面のストッパ階段が前記底板の端面に当接される。
【０００９】
本発明に記載の高密度光ファイバースイッチモジュールにおいて、前記第１位置決め溝が前記光ファイバーアダプターの上表面に位置し、前記第１位置決め突起が前記トップカバーの内表面に設置される。
【００１０】
本発明に記載の高密度光ファイバースイッチモジュールにおいて、前記第１位置決め溝の横断面が直角台形であり、前記直角台形の前記光ファイバーアダプターの前端に近い側縁が斜辺であり、前記第１位置決め突起の横断面が直角台形である。
【００１１】
本発明に記載の高密度光ファイバースイッチモジュールにおいて、前記トップカバーが前記ボトムケースに締結され、前記トップカバーの両側に係合箇所が設置され、前記ボトムケースの両側に前記係合箇所とマッチングする係合部が設置され、前記係合部が前記係合箇所に係合される。
【００１２】
本発明に記載の高密度光ファイバースイッチモジュールにおいて、前記光ファイバーアダプターの下表面に第２位置決め溝が設けられ、前記ボトムケースの底板の内表面に前記第２位置決め溝とマッチングする第２位置決め突起が設けられ、前記第１位置決め溝が前記第２位置決め溝とずれて設置される。
【００１３】
本発明に記載の高密度光ファイバースイッチモジュールにおいて、前記光ファイバーアダプターが光ファイバープラグを挿接するための複数のソケットを有する。
【００１４】
本発明に記載の高密度光ファイバースイッチモジュールにおいて、前記光ファイバープラグが双芯光ファイバープラグである。
【発明の効果】
【００１５】
本発明の高密度光ファイバースイッチモジュールを実施することで、以下のように有益な効果が得られる。すなわち、本発明の光ファイバースイッチモジュールにおいて、光ファイバーアダプターの表面に位置決め溝が設けられ、ボックス体の内表面に位置決め溝とマッチングする位置決め突起が設けられ、位置決め突起が位置決め溝内にはめ込まれて光ファイバーアダプターに対する固定を実現し、光ファイバーアダプターが接続フランジ又は弾性バックルアームを備えなくなったため、光ファイバーアダプターの外縁寸法を有効的に減少させ、光ファイバー接続の密度を高めることができる。
【図面の簡単な説明】
【００１６】
以下、図面と実施例を参照しながら本発明をさらに説明する。
【図１】図１は本発明の好ましい実施例に係る高密度光ファイバースイッチモジュールの分解模式図の１である。
【図２】図２は本発明の好ましい実施例に係る高密度光ファイバースイッチモジュールの分解模式図の２である。
【図３】図３は本発明の好ましい実施例に係る高密度光ファイバースイッチモジュールの光ファイバーアダプターの模式図の１である。
【図４】図４は本発明の好ましい実施例に係る高密度光ファイバースイッチモジュールの光ファイバーアダプターの側面図である。
【発明を実施するための形態】
【００１７】
本発明の光ファイバースイッチモジュールにおいて、光ファイバー接続の密度を高めるために、フランジ結合なしの光ファイバーアダプターを採用し、光ファイバーアダプターの上表面及び／又は下表面に位置決め溝を設置し、スイッチモジュールのボックス体の内表面に位置決め溝とマッチングする位置決め突起が相応に設置することにより、位置決め溝と位置決め突起の係合で、光ファイバーアダプターの固定を実現し、光ファイバーアダプターの外縁に接続フランジ又は弾性バックルアームを備えなくなったため、光ファイバーアダプターの外縁寸法を有効的に減少させることができ、同一のパネルの面積にはより多くの光ファイバーアダプターを設置することができ、光ファイバーの接続密度を著しく高めることができる。
【００１８】
本発明の技術特徴、目的及び効果をもっと分かりやすいように、図面を参考しながら、本発明の具体的な実施形態を詳しく説明する。
【００１９】
図１と図２に示すように、本発明の好ましい実施例に係る光ファイバースイッチモジュールの模式図であり、該実施例のスイッチモジュールはＭＴＰコネクタ分岐をデュプレックスコネクタに変換することに用いられ、具体的に、２つの１２芯ＭＴＰコネクタ分岐を１２個の双芯光ファイバーコネクタに変換する。図に示すように、該光ファイバースイッチモジュールは、ボックス体１を備え、ボックス体１のバックパネルにＭＴＰコネクタ４が設置され、ボックス体１のフロントパネルに３つの光ファイバーアダプター３が設置され、各光ファイバーアダプター３が双芯光ファイバープラグを挿接するため４つのソケット３０２を有する。
【００２０】
図１と図２を参考し、本実施例において、ボックス体１はボトムケース１０及びボトムケース１０と取り外し可能に接続するトップカバー２０を備え、ボトムケース１０が底板１００と底板１００の両対向側縁に位置する左側壁１１０及び右側壁１２０とを有し、ボトムケース１０の前端が左側壁１１０と右側壁１２０を接続する水平バッフルバー１３０を有し、該水平バッフルバー１３０が底板１００と平行し、ボトムケース１０の前端に、水平バッフルバー１３０と、左側壁１１０及び右側壁１２０と、底板１００とがフレームを形成し、光ファイバーアダプター３が該フレーム内に挿し込まれ、光ファイバーアダプター３が水平バッフルバー１３０と底板１００の間に位置する。複数の光ファイバーアダプターの場合に対して、水平バッフルバー１３０の長さが長いため、変形しやすく、この状況を避けるために、水平バッフルバー１３０と底板１００との間に、光ファイバーアダプター３同士を分離するための直立バッフルブレート１４０が設けられてもよく、隣接する２つの光ファイバーアダプター３の間に１つの直立バッフルブレート１４０が設けられ、直立バッフルブレート１４０と、水平バッフルバー１３０と、底板１００とが一体に成形され、このように、それは十分の強度があることを保証できる。図３と図４を参考し、組み立てる際に、光ファイバーアダプター３をはやく位置決めすることができるために、光ファイバーアダプター３の上表面３１と下表面３２にストッパ階段３１１、３２１がそれぞれ設けられてもよく、上表面３１のストッパ階段３１１が前記水平バッフルバー１３０の端面に当接され、下表面３２のストッパ階段３２１が前記底板１００の端面に当接され、なお、ストッパ階段３１１、３２１のいずれか１つを用いても光ファイバーアダプター３を位置決めすることを実現できるが、より確実に位置決めするために、上下表面に共にストッパ階段が設置されることが好ましい。
【００２１】
図３と図４を参考し、本実施例において、光ファイバーアダプター３の上表面３１に第１位置決め溝３０１が開かれ、該第１位置決め溝３０１が光ファイバープラグを光ファイバーアダプター３に挿入する方向に直交する方向に沿って延在し、トップカバー２０の内表面に第１位置決め溝３０１とマッチングする第１位置決め突起１０１が設けられ、トップカバー２０がボトムケース１０をカバーした時、第１位置決め突起１０１が第１位置決め溝３０１内にはめ込まれて光ファイバーアダプター３をボックス体１の前端に固定する。第１位置決め溝３０１の横断面の形状が様々であってもよく、直角台形が好ましく、且つ該直角台形の光ファイバーアダプター３の前端に近い側縁が斜辺であり、それに対応して第１位置決め突起１０１の横断面も直角台形であり、このように、光ファイバーアダプター３をボックス体１の前端から取り付ける際に、第１位置決め突起１０１の斜面がガイドの役割を果たし、取り付けた後に、直角面が後退防止の役割を確実に果たすことができる。
【００２２】
なお、本実例における第１位置決め溝３０１が光ファイバーアダプター３の下表面３２に設置され、それに対応して底板１００内表面に、相応する位置決め突起が設置されてもよい。なお、好ましい実施例の上で、光ファイバーアダプター３の下表面３１に第２位置決め溝を増設して、底板１００の内表面に第２位置決め突起を相応に増設してもよく、第２位置決め溝が第１位置決め溝１０１とずれて設置されることが好ましく、このように、光ファイバーアダプターの強度を低減することを避ける。
【００２３】
本実施例において、トップカバー２０とボトムケース１０が係合による締結の結構を採用し、具体的に、トップカバー２０の両側に係合箇所２１０が設置され、ボトムケース１０の両側に係合箇所２１０とマッチングする係合部１５０が設置され、該係合部１５０が係合箇所２１０に係合される。なお、トップカバー２０とボトムケース１０が他の取り外し可能な接続結構を採用してもよく、例えば、ねじ或いは他の締結方式を採用してもよい。
【００２４】
なお、本発明の光ファイバースイッチモジュールが、ＭＴＰコネクタをＬＣ双芯コネクタにスイッチングすることに限られず、他の任意の適用できるスイッチの場合であってもよく、光ファイバーアダプターのソケットの数、及び光ファイバーアダプターの数を、必要に応じて選択することができ、実施例における具体的なパラメータに限られない。
【００２５】
本発明の光ファイバースイッチモジュールにおいて、光ファイバーアダプターの表面に位置決め溝が設けられ、ボックス体の内表面に位置決め溝とマッチングする位置決め突起が設けられ、位置決め突起が位置決め溝内にはめ込まれて光ファイバーアダプターに対する固定を実現し、光ファイバーアダプターが接続フランジ又は弾性バックルアームを備えなくなったため、光ファイバーアダプターの外縁寸法を有効的に減少させ、光ファイバー接続の密度を高めることができる。
【００２６】
以上、図面を参照しながら、本発明の実施例を説明し、しかしながら、本発明は上述の具体的な実施形態に限定せず、上述の具体的な実施形態が例示的なものに過ぎず、制限するためのものではなく、普通の当業者が本発明の啓示のもとに、本発明の趣旨と特許請求が保護する範囲を逸脱しない場合に、様々な形態が可能であり、これらの形態が共に本発明が保護する範囲内に属する。
【図１】
0005947378.tif 000002
【図２】
0005947378.tif 000003
【図３】
0005947378.tif 000004
【図４】
0005947378.tif 000005